【手続補正書】
【提出日】平成23年2月3日(2011.2.3)
【手続補正１】
【補正対象書類名】特許請求の範囲
【補正対象項目名】全文
【補正方法】変更
【補正の内容】
【特許請求の範囲】
【請求項１】
１つの周縁で終わる湾曲した第１表面、及び該第１表面の反対側にあり、前記周縁で終わる湾曲した第２表面を有し、前記第１表面を装着者の目に係合させ、前記第２表面を同装着者の目から離れる方向に面するようにした表向きの状態で、前記周縁が装着される目から反り返ることが無いようにして装着者の目に装着することができるソフトコンタクトレンズにおいて、
当該ソフトコンタクトレンズを裏返しにして前記第２表面が装着者の目に係合し前記第１表面が同装着者の目から離れる方向に面するようにした裏向きの状態で、該ソフトコンタクトレンズの前記周縁の少なくとも一部が目から反り返るように作用する応力を低減する陥凹、表面ディンプル、溝、インデント、開窓、レリーフ、トラフ、薄くされた又は厚くされた領域のいずれか１つ又はこれらの組合せを前記第１及び第２表面の少なくとも一方に有することを特徴とするソフトコンタクトレンズ。
【請求項２】
前記コンタクトレンズは、光学領域およびフィッティング領域を有し、前記陥凹、表面ディンプル、溝、インデント、開窓、レリーフ、トラフ、薄くされた又は厚くされた領域のいずれか１つ又はこれらの組み合わせは、前記光学領域と前記フィッティング領域のいずれか一方もしくは両方に配置されていることを特徴とする請求項１に記載のソフトコンタクトレンズ。
【請求項３】
前記コンタクトレンズは、光学領域、フィッティング領域、及び前記光学領域と前記フィッティング領域の間の中間領域を有し、前記陥凹、表面ディンプル、溝、インデント、開窓、レリーフ、トラフ、薄くされた又は厚くされた領域のいずれか１つ又はこれらの組み合わせが前記中間領域に配置されていることを特徴とする請求項１に記載のソフトコンタクトレンズ。
【請求項４】
前記中間領域が正の縦球面収差を有することを特徴とする請求項３に記載のソフトコンタクトレンズ。
【請求項５】
前記陥凹、表面ディンプル、溝、インデント、開窓、レリーフ、トラフ、薄くされた又は厚くされた領域のいずれか１つ又はこれらの組み合わせは、前記レンズの中心から前記周縁に向かって半径方向に延びることを特徴とする請求項１に記載のソフトコンタクトレンズ。
【請求項６】
前記陥凹、表面ディンプル、溝、インデント、開窓、レリーフ、トラフ、薄くされた又は厚くされた領域のいずれか１つ又はこれらの組み合わせは、少なくとも１つの周方向に配置された領域に形成されていることを特徴とする請求項1乃至３のいずれか１項に記載のソフトコンタクトレンズ。
【請求項７】
前記陥凹、表面ディンプル、溝、インデント、開窓、レリーフ、トラフ、薄くされた又は厚くされた領域のいずれか１つ又はこれらの組み合わせは、前記レンズの前記第１表面と前記第２表面の両面又はいずれか一方の少なくとも１つの螺旋領域に形成されていることを特徴とする請求項１乃至３のいずれか１項に記載のソフトコンタクトレンズ。
【請求項８】
前記陥凹、表面ディンプル、溝、インデント、開窓、レリーフ、トラフ、薄くされた又は厚くされた領域のいずれか１つ又はこれらの組み合わせは、前記レンズの前記第１表面と前記第２表面の両面又はいずれか一方に前記レンズの経線に対して或る角度をなして位置することを特徴とする請求項１に記載のソフトコンタクトレンズ。
【請求項９】
前記レンズが曲げられたときに前記陥凹、表面ディンプル、溝、インデント、開窓、レリーフ、トラフ、薄くされた又は厚くされた領域のいずれか１つ又はこれらの組み合わせによってもたらされる応力緩和を最適化する前記レンズの周辺領域の場所に、前記陥凹、表面ディンプル、溝、インデント、開窓、レリーフ、トラフ、薄くされた又は厚くされた領域のいずれか１つ又はこれらの組み合わせが配置されていることを特徴とする請求項１乃至８のいずれか１項に記載のソフトコンタクトレンズ。
【請求項１０】
前記陥凹、表面ディンプル、溝、インデント、開窓、レリーフ、トラフ、薄くされた又は厚くされた領域のいずれか１つ又はこれらの組み合わせは、前記レンズの前記第１又は第２表面の曲げ抵抗値を調節することを特徴とする請求項１乃至９のいずれか１項に記載のソフトコンタクトレンズ。
【請求項１１】
光学的性能、中心合わせ、及び装着性が、前記陥凹、表面ディンプル、溝、インデント、開窓、レリーフ、トラフ、薄くされた又は厚くされた領域のいずれか１つ又はこれらの組み合わせによって影響されないことを特徴とする請求項１０に記載のソフトコンタクトレンズ。
【請求項１２】
屈折補正が、前記表向きにおける前記第１及び第２表面によって、並びに前記裏向きにおける前記第１及び第２表面によってもたらされることを特徴とする請求項１１に記載のソフトコンタクトレンズ。
【請求項１３】
前記レンズが前記表向きか又は前記裏向きのいずれにあるかにかかわらず、前記レンズによる屈折補正が前記第１及び第２表面の全域で共有するか又は分布することを特徴とする請求項１１に記載のソフトコンタクトレンズ。
【請求項１４】
前記レンズは、前記表向きか前記裏向きかの選択によって、個々の装着者に対し特定の及び異なる光学的補正を満たすことを特徴とする請求項１１に記載のソフトコンタクトレンズ。
【請求項１５】
前記レンズは、前記第１及び第２表面が第１の方向に向けられたときには二焦点補正となり、前記第１及び第２表面が反転されたときには一焦点補正となることを特徴とする請求項１４に記載のソフトコンタクトレンズ。
【請求項１６】
前記レンズは、前記レンズの前記第１及び第２表面の向きに関わらず、同一の二焦点補正を有することを特徴とする請求項１４に記載のソフトコンタクトレンズ。
【請求項１７】
前記レンズは、前記レンズの前記第１及び第２表面の向きに応じた光学的補正を有し、前記第１及び第２表面の向きが反転したときに異なる光学的補正を有することを特徴とする請求項１４に記載のソフトコンタクトレンズ。
【請求項１８】
前記レンズは、前記レンズの前記第１及び第２表面の特定の向きに応じて同一の又は異なる多焦点補正を有することを特徴とする請求項１４に記載のソフトコンタクトレンズ。
【請求項１９】
前記レンズは、前記レンズの前記第１及び第２表面の向きに対応する１つの光学的補正と、前記第１及び第２表面の反転された向きに対応する多焦点補正とを有することを特徴とする請求項１４に記載のソフトコンタクトレンズ。
【請求項２０】
前記レンズは、球面、円環面、又は非軸対称面であることを特徴とする請求項１に記載のソフトコンタクトレンズ。
【請求項２１】
前記レンズは、前記レンズの前記第１表面に第１の色を有し、前記レンズの前記第２表面に第２の色を有することを特徴とする請求項1乃至２０のいずれか１項に記載のソフトコンタクトレンズ。
【請求項２２】
前記レンズは、前記第１及び第２表面が第１の方向に向けられたときに装着者の目に前記第１の色を伝え、前記第１及び第２表面が第２の方向にむけられたときに前記第２の色を伝えることを特徴とする請求項２１に記載のソフトコンタクトレンズ。
【請求項２３】
前記陥凹、表面ディンプル、溝、インデント、開窓、レリーフ、トラフ、薄くされた又は厚くされた領域のいずれか１つ又はこれらの組み合わせは、前記レンズの目への装着のために該レンズの向きが変えられる際に、前記レンズを歪なし境界の法線方向に調整し及び再配置できるようになされており、前記レンズの前記周縁の外転又はリフティングを防ぐように前記レンズが目に装着されたときに、前記調整及び再配置は前記レンズが前記表向きか又は前記裏向きのいずれにおいても前記レンズを自然に目にラップするようにしたことを特徴とする請求項１に記載のソフトコンタクトレンズ。